【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
着目画素と、該着目画素の周辺画素との画素値から、該着目画素周辺の空間周波数と、該着目画素周辺の画素値の統計値とを算出する算出手段と、
空間周波数と統計値とのセットのそれぞれに対応する補正パラメータを保持する保持手段と、
前記着目画素周辺の空間周波数と、前記着目画素周辺の画素値の統計値とに対応する補正パラメータを、前記着目画素に対する補正パラメータとして、前記保持手段から取得する取得手段と、
前記着目画素に対する補正パラメータを用いて、前記着目画素の画素値を補正する補正手段とを備えることを特徴とする画像処理装置。
【請求項２】
前記取得手段は、前記着目画素に対する補正パラメータを、前記保持手段が保持する前記補正パラメータを用いて推定することを特徴とする、請求項１に記載の画像処理装置。
【請求項３】
前記補正手段による補正前後の画素値の差は、前記着目画素周辺の空間周波数が高いほど大きくなることを特徴とする、請求項１又は２に記載の画像処理装置。
【請求項４】
前記統計値は、画素値の最大値、画素値の最小値、画素値の中央値、画素値の最頻値、画素値の平均値、画素値の最大値と画素値の最小値との差、コントラスト、及び周波数方向のうち、少なくとも一つを含むことを特徴とする、請求項１乃至３の何れか１項に記載の画像処理装置。
【請求項５】
請求項１乃至４の何れか１項に記載の画像処理装置の保持手段が保持する補正パラメータを生成する画像処理装置であって、
周波数ｘを有する画像ｘと、周波数ｙ（ｙ＞ｘ）を有する画像ｙと、を取得する手段と、
前記画像ｙの周波数と、前記画像ｙを構成する画素値の統計値とを含む、前記画像ｙの特徴量を取得する手段と、
前記画像ｘを出力デバイスに出力させることで得られる出力画像の輝度値ｘを取得するとともに、前記画像ｙを当該出力デバイスに出力させることで得られる出力画像の輝度値ｙを取得する手段と、
前記画像ｘと前記画像ｙと間の輝度値の変化量について予め設定された設定値を取得する設定値取得手段と、
画像を前記出力デバイスに与える前に、当該画像における前記画像ｙの特徴量に対応する領域に含まれる各画素の輝度値を補正するための補正パラメータとして、前記出力画像の前記輝度値ｘと前記輝度値ｙとの間の変化量と、前記設定値との差異を小さくするような補正パラメータを算出する補正パラメータ算出手段と、
前記補正パラメータ算出手段が算出した補正パラメータと、前記画像ｙの特徴量とのセットをメモリに登録する手段と、
を備えることを特徴とする、画像処理装置。
【請求項６】
前記補正パラメータ算出手段は、
前記輝度値ｙを前記輝度値ｘで除した数値を、輝度値ｘと輝度値ｙとの間の変化量として取得する手段と、
前記設定値を前記輝度値ｘと輝度値ｙとの間の変化量で除した数値を、前記補正パラメータとして算出する手段と、
を備えることを特徴とする、請求項５に記載の画像処理装置。
【請求項７】
前記出力デバイスの出力画像を特定デバイスの出力画像に合わせるための補正パラメータを生成する、請求項５又は６に記載の画像処理装置であって、
観察者と前記出力デバイスの出力画像との平均的な距離をＤ＿ｍ、観察者と前記特定デバイスの出力画像との平均的な距離をＤ＿ｔ、（Ｄ＿ｔ／Ｄ＿ｍ）をｄＲａｔｉｏとする場合に、
前記設定値取得手段は、周波数が（周波数ｙ×ｄＲａｔｉｏ）である画像を前記特定デバイスに出力させることで得られる出力画像の輝度値を目標輝度値ｙ、周波数が（周波数ｘ×ｄＲａｔｉｏ）である画像を前記特定デバイスに出力させることで得られる出力画像の輝度値を目標輝度値ｘとした場合に、当該目標輝度値ｙを当該目標輝度値ｘで除した値を前記設定値として取得することを特徴とする、請求項５又は６に記載の画像処理装置。
【請求項８】
前記設定値取得手段は、周波数ｙ１を有する画像ｙ１と前記画像ｘとの間の輝度値の変化量について予め設定された設定値を周波数ｙ１に対する設定値ｙ１として取得し、周波数ｙ２を有する画像ｙ２と前記画像ｘとの間の輝度値の変化量について予め設定された設定値を周波数ｙ２に対する設定値ｙ２として取得して、前記周波数ｙを有する画像ｙに対する設定値を当該設定値ｙ１及び設定値ｙ２を用いる線形補間で得ることを特徴とする、請求項５乃至７の何れか１項に記載の画像処理装置。
【請求項９】
前記周波数ｘが０であることを特徴とする、請求項５乃至８の何れか１項に記載の画像処理装置。
【請求項１０】
異なる周波数を有する複数の前記画像ｙについて前記補正パラメータを求めることを特徴とする、請求項５乃至９の何れか１項に記載の画像処理装置。
【請求項１１】
画像処理装置が行う画像処理方法であって、
着目画素と、該着目画素の周辺画素との画素値から、該着目画素周辺の空間周波数と、該着目画素周辺の画素値の統計値とを算出する算出工程と、
空間周波数と統計値とのセットのそれぞれに対応する補正パラメータを保持する保持部から、前記着目画素周辺の空間周波数と、前記着目画素周辺の画素値の統計値とに対応する補正パラメータを、前記着目画素に対する補正パラメータとして取得する取得工程と、  前記着目画素に対する補正パラメータを用いて、前記着目画素の画素値を補正する補正工程とを有することを特徴とする画像処理方法。
【請求項１２】
請求項１１に記載の画像処理方法で用いる補正パラメータを生成する画像処理装置が行う画像処理方法であって、
周波数ｘを有する画像ｘと、周波数ｙ（ｙ＞ｘ）を有する画像ｙと、を取得する工程と、
前記画像ｙの周波数と、前記画像ｙを構成する画素値の統計値とを含む、前記画像ｙの特徴量を取得する工程と、
前記画像ｘを出力デバイスに出力させることで得られる出力画像の輝度値ｘを取得するとともに、前記画像ｙを当該出力デバイスに出力させることで得られる出力画像の輝度値ｙを取得する工程と、
前記画像ｘと前記画像ｙとの間の輝度値の変化量について予め設定された設定値を取得する設定値取得工程と、
画像を前記出力デバイスに与える前に、当該画像における前記画像ｙの特徴量に対応する領域を構成する各画素の輝度値を補正するための補正パラメータとして、前記出力画像の前記輝度値ｘと前記輝度値ｙとの間の変化量と、前記設定値との差異を小さくするような補正パラメータを算出する補正パラメータ算出工程と、
前記補正パラメータ算出工程で算出した補正パラメータを、前記画像ｙの特徴量とセットにしてメモリに登録する工程と、
を有することを特徴とする、画像処理方法。
【請求項１３】
コンピュータを、請求項１乃至１０の何れか１項に記載の画像処理装置の各手段として機能させるためのコンピュータプログラム。
【手続補正２】
【補正対象書類名】明細書
【補正対象項目名】００１３
【補正方法】変更
【補正の内容】
【００１３】
本発明の目的を達成するために、例えば、本発明の画像処理装置は以下の構成を備える。すなわち、
着目画素と、該着目画素の周辺画素との画素値から、該着目画素周辺の空間周波数と、該着目画素周辺の画素値の統計値とを算出する算出手段と、
空間周波数と統計値とのセットのそれぞれに対応する補正パラメータを保持する保持手段と、
前記着目画素周辺の空間周波数と、前記着目画素周辺の画素値の統計値とに対応する補正パラメータを、前記着目画素に対する補正パラメータとして、前記保持手段から取得する取得手段と、
前記着目画素に対する補正パラメータを用いて、前記着目画素の画素値を補正する補正手段と
を備えることを特徴とする。